(57)【要約】【課題】タンク内部からの水圧による接合部材の割れを抑制できる貯水タンク、貯湯式熱交換器、及び衛生洗浄装置を提供する。【解決手段】内部に水を貯める空間を有する貯水タンクであって、下筐体と、前記下筐体の上に位置し、前記下筐体よりも上下方向に長く、前記下筐体と接合されることで前記空間を形成する上筐体と、前記下筐体と前記上筐体との間に位置し、前記下筐体と前記上筐体とを接合する接合部材と、を備え、前記下筐体は、前記接合部材よりも前記空間側に設けられた凹部を有し、前記上筐体は、前記接合部材よりも前記空間側に設けられた凸部を有し、前記凸部は、前記凹部に嵌合されていることを特徴とする貯水タンク。【選択図】図４
2019167724.tif 000002
【特許請求の範囲】
【請求項１】
内部に水を貯める空間を有する貯水タンクであって、
下筐体と、
前記下筐体の上に位置し、前記下筐体よりも上下方向に長く、前記下筐体と接合されることで前記空間を形成する上筐体と、
前記下筐体と前記上筐体との間に位置し、前記下筐体と前記上筐体とを接合する接合部材と、
を備え、
前記下筐体は、前記接合部材よりも前記空間側に設けられた凹部を有し、
前記上筐体は、前記接合部材よりも前記空間側に設けられた凸部を有し、
前記凸部は、前記凹部に嵌合されていることを特徴とする貯水タンク。
【請求項２】
前記凸部の上下方向の長さは、前記上筐体の内面の下端と前記接合部材との間の距離よりも長いことを特徴とする請求項１記載の貯水タンク。
【請求項３】
前記上筐体は、前記接合部材と接合するための接合部を有し、
前記上筐体の内面の下端から前記接合部までの間の表面積は、前記接合部の表面積よりも大きいことを特徴とする請求項１又は２に記載の貯水タンク。
【請求項４】
前記下筐体は、外面の上端から前記空間とは逆方向に突出する第１突出部を有し、
前記上筐体は、外面の下端から前記空間とは逆方向に突出する第２突出部を有し、
前記接合部材は、前記下筐体の前記外面の前記上端と前記上筐体の前記外面の前記下端とを結ぶ仮想線と重なることを特徴とする請求項１〜３のいずれか１つに記載の貯水タンク。
【請求項５】
請求項１〜４のいずれか１つに記載の貯水タンクと、前記貯水タンク内の水を加熱するヒータと、を備えたことを特徴とする貯湯式熱交換器。
【請求項６】
請求項５記載の貯湯式熱交換器と、前記貯湯式熱交換器を収納するケーシングと、を備えたことを特徴とする衛生洗浄装置。
【発明の詳細な説明】
【技術分野】
【０００１】
本発明の態様は、一般的に、貯水タンク、貯湯式熱交換器、及び衛生洗浄装置に関する。
【背景技術】
【０００２】
衛生洗浄装置を小型化し意匠性を向上させるために、衛生洗浄装置で使用される貯湯式熱交換器の貯水タンクの小型化が検討されている。従来、貯水タンクは、上筐体及び下筐体を振動させ溶着接合する振動溶着成形によって製造されていた。この方法では、上筐体及び下筐体を振動させ接合させるために、接合部においてストロークを設ける必要があり、貯水タンクの小型化は難しい。そこで、ダイスライドインジェクション（ＤＳＩ）成形による製造方法を用いることが考えられる（特許文献１）。
【０００３】
ＤＳＩ成形による製造方法では、上筐体と下筐体とを成形（一次成形）した後に、金型をずらして上筐体と下筐体との位置を合わせ、上筐体と下筐体との間に接合部材を注入して上筐体と下筐体とを接合させる（二次成形）。ＤＳＩ成形による製造方法は、ストロークが不要であるため、振動溶着成形による製造方法よりも貯水タンクを小型化しやすい。
【先行技術文献】
【特許文献】
【０００４】
【特許文献１】特開２００８−７５４２６号公報
【発明の概要】
【発明が解決しようとする課題】
【０００５】
しかし、ＤＳＩ成形による製造方法で貯水タンクを製造した場合、上筐体と下筐体とを接合する接合部材の密度が低くなりやすい。その結果、貯水時にタンク内部からの水圧で接合部材に応力が集中した際などに、接合部材が割れ、貯水タンクから水漏れが発生する恐れがあるという問題がある。
【０００６】
本発明は、かかる課題の認識に基づいてなされたものであり、タンク内部からの水圧による接合部材の割れを抑制できる貯水タンク、貯湯式熱交換器、及び衛生洗浄装置を提供することを目的とする。
【課題を解決するための手段】
【０００７】
第１の発明は、内部に水を貯める空間を有する貯水タンクであって、下筐体と、前記下筐体の上に位置し、前記下筐体よりも上下方向に長く、前記下筐体と接合されることで前記空間を形成する上筐体と、前記下筐体と前記上筐体との間に位置し、前記下筐体と前記上筐体とを接合する接合部材と、を備え、前記下筐体は、前記接合部材よりも前記空間側に設けられた凹部を有し、前記上筐体は、前記接合部材よりも前記空間側に設けられた凸部を有し、前記凸部は、前記凹部に嵌合されていることを特徴とする貯水タンクである。
【０００８】
この貯水タンクによれば、接合部材よりも空間側（内側）の位置において、下筐体の凹部に上筐体の凸部が嵌合される。これにより、タンク内部から水圧がかかった場合に、接合部材に応力が集中するのを抑制できる。また、上筐体よりも剛性の高い下筐体に凹部を設けることで、嵌合部が変形しにくくなるため、接合部材に応力が集中するのをさらに抑制できる。従って、ＤＳＩ成形により製造される貯水タンクにおいて、タンク内部からの水圧による接合部材の割れを抑制することができる。
【０００９】
第２の発明は、第１の発明において、前記凸部の上下方向の長さは、前記上筐体の内面の下端と前記接合部材との間の距離よりも長いことを特徴とする貯水タンクである。
【００１０】
この貯水タンクによれば、凸部の上下方向の長さを長くすることで、嵌合部がより変形しにくくなる。そのため、ＤＳＩ成形により製造される貯水タンクにおいて、タンク内部からの水圧による接合部材の割れをさらに抑制することができる。
【００１１】
第３の発明は、第１又は第２の発明において、前記上筐体は、前記接合部材と接合するための接合部を有し、前記上筐体の内面の下端から前記接合部までの間の表面積は、前記接合部の表面積よりも大きいことを特徴とする貯水タンクである。
【００１２】
この貯水タンクによれば、上筐体の内面の下端から接合部までの間の領域（接合部よりも内側の領域）の表面積を接合部の表面積よりも大きくすることで、ＤＳＩ成形の一次成形において、接合部よりも内側の領域を接合部よりも早く硬化させることができる。また、注入される接合部材の密度を高くすることができる。従って、ＤＳＩ成形により製造される貯水タンクにおいて、タンク内部からの水圧による接合部材の割れをさらに抑制することができる。
【００１３】
第４の発明は、第１〜第３のいずれか１つの発明において、前記下筐体は、外面の上端から前記空間とは逆方向に突出する第１突出部を有し、前記上筐体は、外面の下端から前記空間とは逆方向に突出する第２突出部を有し、前記接合部材は、前記下筐体の前記外面の前記上端と前記上筐体の前記外面の前記下端とを結ぶ仮想線と重なることを特徴とする貯水タンクである。
【００１４】
この貯水タンクによれば、タンク内部から水圧がかかった場合に接合部材にかかる応力の減少と、ＤＳＩ成形の二次成形において接合部材を注入した際の下筐体及び上筐体の変形の抑制をバランスよく達成できる。そのため、ＤＳＩ成形により製造される貯水タンクにおいて、タンク内部からの水圧による接合部材の割れをさらに抑制することができる。
【００１５】
第５の発明は、第１〜第４のいずれか１つの発明の貯水タンクと、前記貯水タンク内の水を加熱するヒータと、を備えたことを特徴とする貯湯式熱交換器である。
【００１６】
この貯湯式熱交換器によれば、貯水タンクにおける接合部材の割れに起因する水漏れを抑制することができる。
【００１７】
第６の発明は、第５の発明の貯湯式熱交換器と、前記貯湯式熱交換器を収納するケーシングと、を備えたことを特徴とする衛生洗浄装置である。
【００１８】
この衛生洗浄装置によれば、貯水タンクにおける接合部材の割れに起因するケーシング外への水漏れを抑制することができる。
【発明の効果】
【００１９】
本発明の態様によれば、タンク内部からの水圧による接合部材の割れを抑制できる貯水タンク、貯湯式熱交換器、及び衛生洗浄装置が提供される。
【図面の簡単な説明】
【００２０】
【図１】実施形態に係る衛生洗浄装置を備えたトイレ装置を模式的に表す斜視図である。
【図２】実施形態に係る貯湯式熱交換器を模式的に表す斜視図である。
【図３】図３（ａ）及び図３（ｂ）は、実施形態に係る貯水タンクを模式的に表す分解斜視図である。
【図４】実施形態に係る貯水タンクを模式的に表す断面図である。
【図５】図５（ａ）及び図５（ｂ）は、実施形態に係る貯水タンクの一部を拡大して模式的に表す断面図である。
【発明を実施するための形態】
【００２１】
以下、実施形態について図面を参照しつつ説明する。なお、各図面中、同様の構成要素には同一の符号を付して詳細な説明は適宜省略する。  
図１は、実施形態に係る衛生洗浄装置を備えたトイレ装置を模式的に表す斜視図である。  
図１に表すように、トイレ装置は、洋式腰掛便器（以下説明の便宜上、単に「便器」と称する）６と、その上に設けられた衛生洗浄装置１と、を備える。衛生洗浄装置１は、便座２と、便蓋３と、ケーシング４と、を有する。便座２と便蓋３とは、ケーシング４に対して開閉自在にそれぞれ軸支されている。
【００２２】
以下の実施形態の説明では、「上方」、「下方」、「前方」、「後方」、「右側方」、及び「左側方」を用いるが、これらの方向は、図１に表すように、便座２に座った使用者から見たものである。
【００２３】
ケーシング４は、便器６の後方の上面に載置されるケースプレート４ａと、ケースプレート４ａを覆うカバー４ｂと、により構成されている。なお、図１に表す例では、ケースプレート４ａがカバー４ｂによって覆われて隠れているため、ケースプレート４ａを破線で表している。
【００２４】
ケーシング４の内部には、便座２に座った使用者の「おしり」などを洗浄するノズル１０が内蔵されている。また、ケーシング４の内部には、ノズル１０から吐出される温水（湯）を加熱し貯めておく貯湯式熱交換器２０が収納されている。また、ケーシング４には、例えば、トイレ室への使用者の入室を検知する入室検知センサや、便座２の前方にいる使用者を検知する人体検知センサ、便座２への使用者の着座を検知する着座検知センサなどが設けられている。
【００２５】
使用者は、リモコンなどの操作部５を操作することで、ノズル１０を便器６のボウル６ａ内に進出させたり、ボウル６ａ内から後退させたりすることができる。なお、図１に表した衛生洗浄装置１では、ノズル１０がボウル６ａ内に進出した状態を表している。
【００２６】
ノズル１０は、先端に吐水口１０ａを有する。ノズル１０の吐水口１０ａからは、例えば、貯湯式熱交換器２０において加熱され貯められた温水（湯）が吐出される。ノズル１０がボウル６ａ内に進出した状態で、吐水口１０ａから使用者の局部に向けて温水が吐水されることで、局部の洗浄が行われる。
【００２７】
また、ケーシング４には、便座２を温める「便座ヒータ」や、便座２に座った使用者の「おしり」などに向けて温風を吹き付けて乾燥させる「温風乾燥機能」、「脱臭ユニット」、「室内暖房ユニット」などが適宜設けられていてもよい。
【００２８】
図２は、実施形態に係る貯湯式熱交換器を模式的に表す斜視図である。  
図２に表すように、貯湯式熱交換器２０は、貯水タンク３０と、ヒータ４０と、を備える。
【００２９】
貯水タンク３０は、中空形状を有する。貯水タンク３０の内部の空間３５には、水又は湯が貯められる。貯水タンク３０は、例えば、ナイロンなどの樹脂製である。この例では、貯水タンク３０の前面の上部は、前面（上面）が傾斜するケーシング４に合わせて傾斜している。貯水タンク３０の形状は、これに限定されず、ケーシング４の形状に合わせて適宜変更可能である。貯水タンク３０の構造については、後述する。
【００３０】
ヒータ４０は、貯水タンク３０の内部に配設され、貯水タンク３０の内部の空間３５に貯められた水を加熱し、湯にする。ヒータ４０は、例えば、貯水タンク３０の内部の底面部に沿うように設けられる。ヒータ４０は、例えば、棒状である。ヒータ４０は、例えば、貯水タンク３０を斜めに貫通するように設けられる。より具体的には、ヒータ４０の両端部は、貯水タンク３０に形成された貫通孔を貫通し、その貫通孔から貯水タンク３０の外部へ露出している。そして、ヒータ４０は、貯水タンク３０を貫通した部分において、例えばＯリングなどのシール部材により水密に取り付けられている。ヒータ４０は、例えば、シーズヒータである。
【００３１】
図３（ａ）及び図３（ｂ）は、実施形態に係る貯水タンクを模式的に表す分解斜視図である。  
図３（ａ）は、上方から見た分解斜視図である。図３（ｂ）は、下方から見た分解斜視図である。  
図３（ａ）及び図３（ｂ）に表すように、貯水タンク３０は、下筐体３１と、上筐体３２と、接合部材３３と、を備える。下筐体３１と上筐体３２とは、接合部材３３によって接合されている。
【００３２】
下筐体３１は、貯水タンク３０の下部に位置する筐体である。下筐体３１は、上方に向かって開口しており、第１内面３１ａと、第１外面３１ｂと、第１縁部３１ｃと、を有する。第１内面３１ａは、貯水タンク３０の内部の空間３５を形成する面である。第１外面３１ｂは、貯水タンク３０の外部に露出する面である。第１縁部３１ｃは、下筐体３１の開口の周りを囲む縁である。第１縁部３１ｃは、接合部材３３を介して上筐体３２と接合される。第１縁部３１ｃは、接合部材３３と接合するための第１接合部３６ａを有する。第１接合部３６ａは、下筐体３１の開口の周りを囲むように設けられる。換言すれば、第１接合部３６ａは、第１縁部３１ｃの全周に設けられる。
【００３３】
上筐体３２は、貯水タンク３０の上部に位置する筐体である。上筐体３２は、下筐体３１の上に設けられる。上筐体３２は、下方に向かって開口しており、第２内面３２ａと、第２外面３２ｂと、第２縁部３２ｃと、を有する。第２内面３２ａは、貯水タンク３０の内部の空間３５を形成する面である。第２外面３２ｂは、貯水タンク３０の外部に露出する面である。第２縁部３２ｃは、上筐体３２の開口の周りを囲む縁である。第２縁部３２ｃは、接合部材３３を介して下筐体３１と接合される。第２縁部３２ｃは、接合部材３３と接合するための第２接合部３７ａを有する。第２接合部３７ａは、上筐体３２の開口の周りを囲むように設けられる。換言すれば、第２接合部３７ａは、第２縁部３２ｃの全周に設けられる。
【００３４】
接合部材３３は、下筐体３１と上筐体３２との間に設けられ、下筐体３１と上筐体３２とを接合する。より具体的には、接合部材３３は、下筐体３１の第１縁部３１ｃの第１接合部３６ａと上筐体３２の第２縁部３２ｃの第２接合部３７ａとの間に設けられ、第１接合部３６ａと第２接合部３７ａとを接合する。接合部材３３は、下筐体３１の開口及び上筐体３２の開口の周りを囲むように設けられる。接合部材３３は、第１接合部３６ａ及び第２接合部３７ａに沿って全周に設けられる。換言すれば、接合部材３３は、第１接合部３６ａの全周と第２接合部３７ａの全周とを接合する。
【００３５】
下筐体３１の第１縁部３１ｃ（第１接合部３６ａ）と上筐体３２の第２縁部３２ｃ（第２接合部３７ａ）とが、接合部材３３によって接合されることで、第１縁部３１ｃと第２縁部３２ｃとの間が塞がれる。下筐体３１の第１内面３１ａ及び上筐体３２の第２内面３２ａによって、水又は湯を貯めることができる空間３５が形成される。
【００３６】
上筐体３２の上下方向の長さＬ２（図４参照）は、下筐体３１の上下方向の長さＬ１（図４参照）よりも長い。例えば、下筐体３１の第１縁部３１ｃ及び上筐体３２の第２縁部３２ｃは、貯水タンク３０の上下方向の中央よりも下側に位置する。例えば、接合部材３３は、貯水タンク３０の上下方向の中央よりも下側に位置する。下筐体３１の剛性は、上筐体３２の剛性よりも高い。つまり、下筐体３１は、上筐体３２よりも変形しにくい。
【００３７】
図４は、実施形態に係る貯水タンクを模式的に表す断面図である。  
図５（ａ）及び図５（ｂ）は、実施形態に係る貯水タンクの一部を拡大して模式的に表す断面図である。  
図４、図５（ａ）及び図５（ｂ）は、後方側の接合部材付近を左側方側から見た断面図である。  
図４、図５（ａ）及び図５（ｂ）に表すように、第１接合部３６ａ及び第２接合部３７ａの断面形状は、例えば、弧である。この例では、接合部材３３の断面形状は、略円形である。なお、接合部材３３は、接合する際に第１接合部３６ａ及び第２接合部３７ａの一部と融け合って接合してもよい。
【００３８】
また、図４、図５（ａ）及び図５（ｂ）に表すように、下筐体３１は、第１突出部３１ｄを有する。第１突出部３１ｄは、第１外面３１ｂの上端３１ｅから空間３５（第１内面３１ａ）とは逆方向（貯水タンク３０の外側）に向かって突出する部分である。第１縁部３１ｃは、第１突出部３１ｄの上端を含む。換言すれば、第１縁部３１ｃの一部は、第１外面３１ｂの上端３１ｅよりも貯水タンク３０の外側に位置する。
【００３９】
一方、上筐体３２は、第２突出部３２ｄを有する。第２突出部３２ｄは、第２外面３２ｂの下端３２ｅから空間３５（第２内面３２ａ）とは逆方向（貯水タンク３０の外側）に向かって突出する部分である。第２縁部３２ｃは、第２突出部３２ｄの下端を含む。換言すれば、第２縁部３２ｃの一部は、第２外面３２ｂの下端３２ｅよりも貯水タンク３０の外側に位置する。
【００４０】
この例では、接合部材３３の一部は、第１突出部３１ｄ及び第２突出部３２ｄに設けられている。換言すれば、第１接合部３６ａは、第１突出部３１ｄと重なるように設けられており、第２接合部３７ａは、第２突出部３２ｄと重なるように設けられている。また、接合部材３３は、第１外面３１ｂの上端３１ｅと第２外面３２ｂの下端３２ｅとを結ぶ仮想線ＩＬと重なる位置に設けられている。
【００４１】
また、図４、図５（ａ）及び図５（ｂ）に表すように、下筐体３１は、第１縁部３１ｃに凹部３６ｂを有する。凹部３６ｂは、下方に向かって窪んでいる。凹部３６ｂは、接合部材３３よりも空間３５側（貯水タンク３０の内側）に設けられている。換言すれば、凹部３６ｂは、第１接合部３６ａと第１内面３１ａとの間に位置する。
【００４２】
上筐体３２は、第２縁部３２ｃに凸部３７ｂを有する。凸部３７ｂは、下方に向かって突出している。凸部３７ｂは、接合部材３３よりも空間３５側（貯水タンク３０の内側）に設けられている。換言すれば、凸部３７ｂは、第２接合部３７ａと第２内面３２ａとの間に位置する。
【００４３】
上筐体３２の凸部３７ｂは、下筐体３１の凹部３６ｂに嵌合されている。凹部３６ｂ及び凸部３７ｂは、それぞれ、下筐体３１の開口及び上筐体３２の開口の周りを囲むように設けられている。換言すれば、凹部３６ｂ及び凸部３７ｂは、下筐体３１の第１縁部３１ｃ及び上筐体３２の第２縁部３２ｃの全周で嵌合している。
【００４４】
また、図４、図５（ａ）及び図５（ｂ）に表すように、下筐体３１の第１縁部３１ｃは、上記の第１接合部３６ａ及び凹部３６ｂに加えて、第１〜第３部分３６ｃ〜３６ｅを有する。第１部分３６ｃは、第１内面３１ａと凹部３６ｂとの間に位置する。第２部分３６ｄは、凹部３６ｂと第１接合部３６ａとの間に位置する。第３部分３６ｅは、第１接合部３６ａと第１突出部３１ｄの外端との間に位置する。つまり、第１縁部３１ｃには、第１内面３１ａから第１突出部３１ｄの外端に向かって、第１部分３６ｃ、凹部３６ｂ、第２部分３６ｄ、第１接合部３６ａ、及び第３部分３６ｅが設けられている。
【００４５】
第１内面３１ａから第１突出部３１ｄの外端に向かう方向において、第１部分３６ｃの幅Ｗ１及び第２部分３６ｄの幅Ｗ２は、例えば、実質的に同じである。また、第３部分３６ｅの幅Ｗ３は、例えば、幅Ｗ１及び幅Ｗ２の少なくともいずれかと実質的に同じである。また、凹部３６ｂの幅Ｗａ１は、例えば、幅Ｗ１、幅Ｗ２、及び幅Ｗ３の少なくともいずれかと実質的に同じである。この例では、幅Ｗ１、幅Ｗ２、幅Ｗ３、及び幅Ｗａ１は、実質的に同じである。なお、凹部３６ｂの幅Ｗａ１は、下方に向かうほど小さくなってもよい。換言すれば、凹部３６ｂは断面の幅が下方に向かって細くなるテーパ形状であってもよい。この場合、凹部３６ｂの幅Ｗａ１は、例えば、凹部３６ｂの上端の幅とみなすことができる。また、第１接合部３６ａの幅Ｗｂ１は、例えば、幅Ｗ１、幅Ｗ２、幅Ｗ３、及び幅Ｗａ１の少なくともいずれかよりも大きい。この例では、幅Ｗｂ１は、幅Ｗ１、幅Ｗ２、幅Ｗ３、及び幅Ｗａ１のいずれよりも大きい。また、凹部３６ｂの上下方向の長さＬ３は、例えば、幅Ｗ１、幅Ｗ２、及び幅Ｗａ１の合計よりも長い。換言すれば、長さＬ３は、第１内面３１ａの上端と接合部材３３（第１接合部３６ａ）との間の距離よりも長い。
【００４６】
一方、上筐体３２の第２縁部３２ｃは、上記の第２接合部３７ａ及び凸部３７ｂに加えて、第４〜第６部分３７ｃ〜３７ｅを有する。第４部分３７ｃは、第２内面３２ａと凸部３７ｂとの間に位置する。第５部分３７ｄは、凸部３７ｂと第２接合部３７ａとの間に位置する。第６部分３７ｅは、第２接合部３７ａと第２突出部３２ｄの外端との間に位置する。つまり、第２縁部３２ｃには、第２内面３２ａから第２突出部３２ｄの外端に向かって、第４部分３７ｃ、凸部３７ｂ、第５部分３７ｄ、第２接合部３７ａ、及び第６部分３７ｅが設けられている。
【００４７】
第２内面３２ａから第２突出部３２ｄの外端に向かう方向において、第４部分３７ｃの幅Ｗ４及び第５部分３７ｄの幅Ｗ５は、例えば、実質的に同じである。また、第６部分３７ｅの幅Ｗ６は、例えば、幅Ｗ４及び幅Ｗ５の少なくともいずれかと実質的に同じである。また、凸部３７ｂの幅Ｗａ２は、例えば、幅Ｗ４、幅Ｗ５、及び幅Ｗ６の少なくともいずれかと実質的に同じである。この例では、幅Ｗ４、幅Ｗ５、幅Ｗ６、及び幅Ｗａ２は、実質的に同じである。なお、凸部３７ｂの幅Ｗａ２は、下方に向かうほど小さくなってもよい。換言すれば、凸部３７ｂは断面の幅が下方に向かって細くなるテーパ形状であってもよい。この場合、凸部３７ｂの幅Ｗａ２は、例えば、凸部３７ｂの上端の幅とみなすことができる。また、第２接合部３７ａの幅Ｗｂ２は、例えば、幅Ｗ４、幅Ｗ５、幅Ｗ６、及び幅Ｗａ２の少なくともいずれかよりも大きい。この例では、幅Ｗｂ２は、幅Ｗ４、幅Ｗ５、幅Ｗ６、及び幅Ｗａ２のいずれよりも大きい。また、凸部３７ｂの上下方向の長さＬ４は、例えば、幅Ｗ４、幅Ｗ５、及び幅Ｗａ２の合計よりも長い。換言すれば、長さＬ４は、第２内面３２ａの下端と接合部材３３（第２接合部３７ａ）との間の距離よりも長い。
【００４８】
下筐体３１の第１縁部３１ｃと上筐体３２の第２縁部３２ｃとが接合した状態において、第１部分３６ｃは、第４部分３７ｃと対向する。第１部分３６ｃの幅Ｗ１は、例えば、第４部分３７ｃの幅Ｗ４と実質的に同じである。第２部分３６ｄは、第５部分３７ｄと対向する。第２部分３６ｄの幅Ｗ２は、例えば、第５部分３７ｄの幅Ｗ５と実質的に同じである。第３部分３６ｅは、第６部分３７ｅと対向する。第３部分３６ｅの幅Ｗ３は、例えば、第６部分３７ｅの幅Ｗ６と実質的に同じである。凸部３７ｂは、凹部３６ｂに嵌合される。凹部３６ｂの幅Ｗａ１は、例えば、凸部３７ｂの幅Ｗａ２と実質的に同じである。第１接合部３６ａは、第２接合部３６７と対向する。第１接合部３６ａの幅Ｗｂ１は、例えば、第２接合部３６７の幅Ｗｂ２と実質的に同じである。
【００４９】
この例では、凹部３６ｂの上下方向の長さＬ３は、凸部３７ｂの上下方向の長さＬ４よりも長い。つまり、凹部３６ｂの下端と凸部３７ｂの下端との間には、隙間が設けられている。また、この例では、第１部分３６ｃと第４部分３７ｃとの間にも、隙間が設けられている。一方、第２部分３６ｄと第５部分３７ｄとは、接触している。また、第３部分３６ｅと第６部分３７ｅとは、接触している。上記のように、凸部３７ｂの下端と凹部３６ｂの下端との間、及び、第１部分３６ｃと第４部分３７ｃとの間に隙間を設けることで、第２部分３６ｄと第５部分３７ｄと、及び、第３部分３６ｅと第６部分３７ｅとをより確実に隙間なく接触させることができる。これにより、ＤＳＩ成形の二次成形において、下筐体３１及び上筐体３２が上下方向から金型で押圧された際に、第１接合部３６ａ及び第２接合部３７ａの周辺（例えば、第２部分３６ｄと第５部分３７ｄとの間、及び、第３部分３６ｅと第６部分３７ｅとの間）に隙間が開きにくくなる。
【００５０】
また、下筐体３１の第１内面３１ａの上端から第１接合部３６ａ（接合部材３３）までの間の表面積Ｓ１は、第１接合部３６ａの表面積Ｓ２よりも大きい。表面積Ｓ１は、第１部分３６ｃの表面積、第２部分３６ｄの表面積、及び凹部３６ｂの表面積の合計である。また、上筐体３２の第２内面３２ａの下端から第２接合部３７ａ（接合部材３３）までの間の表面積Ｓ３は、第２接合部３７ａの表面積Ｓ４よりも大きい。表面積Ｓ３は、第４部分３７ｃの表面積、第５部分３７ｄの表面積、及び凸部３７ｂの表面積の合計である。
【００５１】
貯水タンク３０は、例えば、ＤＳＩ成形によって製造される。ＤＳＩ成形による製造方法では、まず、下筐体３１と上筐体３２とを金型により成形（一次成形）する。次に、金型をずらして下筐体３１と上筐体３２との位置を合わせ、上筐体３２の凸部３７ｂを下筐体３１の凹部３６ｂに嵌合させる。この状態で、下筐体３１と上筐体３２とを挟み込むように上下方向から押圧し、下筐体３１の第１接合部３６ａと上筐体３２の第２接合部３７ａとの間に接合部材３３となる樹脂を注入する（二次成形）。下筐体３１と上筐体３２とを上下方向から押圧する際には、例えば、下筐体３１の第１突出部３１ｄと上筐体３２の第２突出部３２ｄとを上下方向から押圧する。また、接合部材３３となる樹脂を注入する際には、例えば、第１突出部３１ｄ及び第２突出部３２ｄの少なくともいずれかに設けられたゲートから、接合部材３３となる樹脂を注入する。注入した樹脂が硬化することで接合部材３３となり、下筐体３１と上筐体３２とが接合される。
【００５２】
なお、この例では、貯湯式熱交換器２０は、貯水タンク３０の下筐体３１の開口を上方に向けてケーシング４内に収納されているが、貯湯式熱交換器２０の配置はこれに限定されない。つまり、貯湯式熱交換器２０は、貯水タンク３０の下筐体３１の開口をいずれの方向に向けてケーシング４内に収納されていてもよい。
【００５３】
以上、説明したように、実施形態においては、接合部材３３よりも空間３５側（内側）の位置において、下筐体３１の凹部３６ｂに上筐体３２の凸部３７ｂが嵌合される。これにより、タンク内部（空間３５）から水圧がかかった場合に、接合部材３３に応力が集中するのを抑制できる。また、下筐体３１は上筐体３２よりも上下方向の長さが短い。そのため、下筐体３１は上筐体３２よりも剛性が高い。実施形態においては、上筐体３２よりも剛性の高い下筐体３１に凹部３６ｂを設けることで、凹部３６ｂと凸部３７ｂとの嵌合部が変形しにくくなり、接合部材３３に応力が集中するのをさらに抑制できる。従って、タンク内部（空間３５）からの水圧による接合部材３３の割れを抑制し、貯水タンク３０の水漏れを抑制することができる。
【００５４】
また、実施形態においては、凸部３７ｂの上下方向の長さＬ４を上筐体３２の第１内面３２ａの下端と接合部材３３との間の距離（第４部分３７ｃの幅Ｗ４、第５部分の幅Ｗ５、及び凸部３７ｂの幅Ｗａ２の合計）よりも長くする。凸部３７ｂの上下方向の長さＬ４を長くすると、凸部３７ｂと凹部３６ｂとの接触面積が増え、凸部３７ｂと凹部３６ｂとの間の摩擦が大きくなる。これにより、凹部３６ｂと凸部３７ｂとの嵌合部がより変形しにくくなる。そのため、タンク内部（空間３５）からの水圧による接合部材３３の割れをさらに抑制することができる。
【００５５】
また、実施形態においては、上筐体３２の第２内面３２ａの下端から第２接合部３７ａ（接合部材３３）までの間の領域（第２接合部３７ａよりも内側の領域）の表面積Ｓ３（第４部分３７ｃの表面積、第５部分３７ｄの表面積、及び凸部３７ｂの表面積の合計）を、第２接合部３７ａの表面積Ｓ４よりも大きくする。表面積が大きいと、ＤＳＩ成形の一次成形において、早く硬化する。これにより、ＤＳＩ成形の一次成形において、第２接合部３７ａよりも内側の領域を第２接合部３７ａよりも早く硬化させることができる。また、注入される接合部材３３の密度を高くすることができる。従って、タンク内部（空間３５）からの水圧による接合部材３３の割れをさらに抑制することができる。
【００５６】
また、接合部材３３が貯水タンク３０の内側（空間３５）に近い場合、凹部３６ｂと凸部３７ｂとの嵌合部と接合部材３３との距離は短くなる。従って、タンク内部から水圧がかかった場合に接合部材３３にかかる応力が小さくなる。一方、接合部材３３が貯水タンク３０の外側に近い場合、接合部材３３（第１接合部３６ａ及び第２接合部３７ａ）は第１突出部３１ｄ及び第２突出部３２ｄと重なりやすい。従って、ＤＳＩ成形の二次成形において、第１突出部３１ｄ及び第２突出部３２ｄが上下方向から金型で押圧された際に、第１接合部３６ａ及び第２接合部３７ａの周辺（例えば、第２部分３６ｄと第５部分３７ｄとの間、及び、第３部分３６ｅと第６部分３７ｅとの間）に隙間が開きにくくなる。つまり、ＤＳＩ成形の二次成形において、接合部材３３となる樹脂を注入した際の下筐体３１及び上筐体３２の変形を抑制できる。そこで、実施形態においては、接合部材３３を、例えば、下筐体３１の第１外面３１ｂの上端３１ｅと上筐体３２の第２外面３２ｂの下端３２ｅとを結ぶ仮想線ＩＬと重なる位置に設ける。これにより、タンク内部から水圧がかかった場合に接合部材３３にかかる応力の減少と、ＤＳＩ成形の二次成形において接合部材３３を注入した際の下筐体３１及び上筐体３２の変形の抑制をバランスよく達成できる。
【００５７】
また、実施形態においては、上記の貯水タンク３０と、貯水タンク３０内の水を加熱するヒータ４０と、を備えた貯湯式熱交換器２０を提供する。これによりに、貯水タンク３０における接合部材３３の割れに起因する水漏れが抑制された貯湯式熱交換器２０を提供することができる。
【００５８】
また、実施形態においては、上記の貯湯式熱交換器２０と、貯湯式熱交換器２０を収納するケーシング４と、を備えた衛生洗浄装置１を提供する。これにより、貯水タンク３０における接合部材３３の割れに起因するケーシング４外への水漏れが抑制された衛生洗浄装置１を提供することができる。
【００５９】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、衛生洗浄装置１、貯湯式熱交換器２０、及び貯水タンク３０などが備える各要素の形状、寸法、材質、配置などは、例示したものに限定されるわけではなく適宜変更することができる。  
また、前述した実施形態が備える各要素は、技術的に可能な限りにおいて組み合わせることができ、これらを組み合わせたものも本発明の特徴を含む限り本発明の範囲に包含される。
【符号の説明】
【００６０】
１ 衛生洗浄装置、  ２ 便座、  ３ 便蓋、  ４ ケーシング、  ４ａ ケースプレート、  ４ｂ カバー、  ６ 便器、  ６ａ ボウル、  １０ ノズル、  １０ａ 吐水口、  ２０ 熱交換器、  ３０ 貯水タンク、  ３１ 下筐体、  ３１ａ 第１内面、  ３１ｂ 第１外面、  ３１ｃ 第１縁部、  ３１ｄ 第１突出部、  ３１ｅ 上端、  ３６ａ 第１接合部、  ３６ｂ 凹部、  ３６ｃ〜３６ｅ 第１〜第３部分、  ３２ 上筐体、  ３２ａ 第２内面、  ３２ｂ 第２外面、  ３２ｃ 第２縁部、  ３２ｄ 第２突出部、  ３２ｅ 下端、  ３７ａ 第２接合部、  ３７ｂ 凸部、  ３７ｃ〜３７ｅ 第４〜第６部分、  ３３ 接合部材、  ３５ 空間、  ４０ ヒータ、  ＩＬ 仮想線、  Ｌ１〜Ｌ４ 長さ、  Ｗ１〜Ｗ６、Ｗａ１、Ｗａ２、Ｗｂ１、Ｗｂ２ 幅
【図１】
2019167724.tif 000003
【図２】
2019167724.tif 000004
【図３】
2019167724.tif 000005
【図４】
2019167724.tif 000006
【図５】
2019167724.tif 000007